(57)【要約】【課題】固定用の雄ねじを有するプラグが接続された際にこのプラグの固定が容易であると共に本体をより軽量化できるコネクタ（５０）を提供する。【解決手段】本体部（５０Ａ）とこれに設けられた軸（５ａ）の回りに回動する回動部（５０Ｂ）とより成り、本体部（５０Ａ）は、プラグ（Ｐ）がコネクタ（５０）側に突出する固定用の雄ネジ（２０）を備えている場合に、装着されたプラグ（Ｐ）における雄ネジ（２０）のネジ部（２０ａ）を挟んで対向する第１の挟持部（３ｃ）と第２の挟持部（３ｂ）とを備え、第１の挟持部（３ｃ）は、第２の挟持部（３ｂ）に向かう方向に可撓性を有し、回動部（５０Ｂ）は、第１の挟持部（３ｃ）に対して離接する方向に回動すると共に、所定の回動角度範囲において、第１の挟持部（３ｃ）を第２の挟持部（３ｂ）に向かう方向に押圧して第１及び第２の挟持部（３ｃ，３ｂ）で雄ネジ（２０）を挟持する。【選択図】図２
2007200800.tif 000002
【特許請求の範囲】
【請求項１】
プラグが装着されるコネクタであって、
本体部と該本体部に設けられた軸の回りに回動する回動部とより成り、
前記本体部は、前記プラグが当該コネクタ側に突出する固定用の雄ネジを備えている場合に、装着された前記プラグにおける前記雄ネジのネジ部を挟んで対向する第１の挟持部と第２の挟持部とを備え、
前記第１の挟持部は、前記第２の挟持部に向かう方向に可撓性を有し、
前記回動部は、前記第１の挟持部に対して離接する方向に回動すると共に、所定の回動角度範囲において、前記第１の挟持部を前記第２の挟持部に向かう方向に押圧して前記第１及び第２の挟持部で前記雄ネジを挟持するよう構成して成ることを特徴とするコネクタ。
【請求項２】
前記回動部は、前記プラグが装着されていないときに、回動により当該コネクタのシェルを覆うことを特徴とする請求項１記載のコネクタ。
【発明の詳細な説明】
【技術分野】
【０００１】
本発明は、コネクタに係り、特に、装着されたプラグを固定するためのロック構造を有するコネクタに関する。
【背景技術】
【０００２】
一般に、電子機器間をケーブルで接続する場合、ケーブル側のプラグを電子機器側のコネクタに装着することでその接続が行われる。
この接続の例としては、コンピュータ用外部映像モニタとコンピュータとの間のケーブル接続があり、この場合、コネクタとして所謂Ｄ−ｓｕｂと呼ばれるタイプのコネクタが多用される。
【０００３】
また、このような用途で用いられるプラグ及びコネクタは、プラグがコネクタから外れるのを防止するためのロック構造を備えているものが多い。
このロック構造の一例として、プラグをコネクタに装着した後、プラグ側に備えられた雄ネジをコネクタ側に設けられた雌ネジに螺合する構造がある。
この構造において、各ネジは、繰り返しの螺合でネジ山が崩れないように金属で形成されるのが一般的である。
【０００４】
このようなロック構造を備えたプラグ及びコネクタの例が特許文献１及び特許文献２に開示されている。
【特許文献１】特開平７−２２６２６３号公報
【特許文献２】特開２００２−１７０６３４号公報
【発明の開示】
【発明が解決しようとする課題】
【０００５】
ところで、例えば電子機器に対しては、市場から軽量化が常に要望されているが、従来のプラグをネジ固定するコネクタは、上述したように、雌ネジが金属で形成されているので質量が重く、コネクタ本体の軽量化が望まれていた。
また、Ｄ−ｓｕｂのプラグあるいはこれを備えたケーブルは広く普及しており、コネクタを軽量化した場合においても、固定用の雄ネジを有するプラグを固定できることが要望されていた。
【０００６】
また、電子機器においてコネクタが配設されている位置は、側面や背面の奥まった部分とされる場合が多い。さらに、複数のコネクタが隣接して配設されているのが通常であり、これらに接続される複数のケーブルは極めて密集した状態となる。
従って、従来のように雄ネジを廻してプラグをコネクタに固定する作業は容易ではなく、簡単に固定作業が行える固定構造が望まれていた。
【０００７】
そこで、本発明が解決しようとする課題は、固定用の雄ねじを有するプラグが接続された際にこのプラグの固定が容易であると共に、本体をより軽量化できるコネクタを提供することにある。
【課題を解決するための手段】
【０００８】
上記の課題を解決するために、本願発明は手段として次の１）及び２）の構成を有する。
１）  プラグが装着されるコネクタであって、
本体部（５０Ａ）と該本体部（５０Ａ）に設けられた軸（５ａ）の回りに回動する回動部（５０Ｂ）とより成り、
前記本体部（５０Ａ）は、前記プラグ（Ｐ）が当該コネクタ（５０）側に突出する固定用の雄ネジ（２０）を備えている場合に、装着された前記プラグ（Ｐ）における前記雄ネジ（２０）のネジ部（２０ａ）を挟んで対向する第１の挟持部（３ｃ）と第２の挟持部（３ｂ）とを備え、
前記第１の挟持部（３ｃ）は、前記第２の挟持部（３ｂ）に向かう方向に可撓性を有し、
前記回動部（５０Ｂ）は、前記第１の挟持部（３ｃ）に対して離接する方向に回動すると共に、所定の回動角度範囲において、前記第１の挟持部（３ｃ）を前記第２の挟持部（３ｂ）に向かう方向に押圧して前記第１及び第２の挟持部（３ｃ，３ｂ）で前記雄ネジ（２０）を挟持するよう構成して成ることを特徴とするコネクタ（５０）である。
２）  前記回動部（５０Ｂ）は、前記プラグ（Ｐ）が装着されていないときに、回動により当該コネクタ（５０）のシェル（２）を覆うことを特徴とする請求項１記載のコネクタ（５０）である。
【発明の効果】
【０００９】
本発明によれば、固定用の雄ねじを有するプラグが固定可能であると共に、本体が軽量化できるという効果を奏する。
【発明を実施するための最良の形態】
【００１０】
本発明の実施の形態を、好ましい実施例により図１及び図２を用いて説明する。
図１は、本発明のコネクタの実施例を説明する斜視図である。
図２は、本発明のコネクタの実施例におけるプラグ固定動作を説明する側面図である。
【００１１】
図１に示すように、実施例のコネクタ５０は、本体部５０Ａと蓋部５０Ｂとにより構成されている。
まず、本体部５０Ａについて説明する。
【００１２】
本体部５０Ａは、側面形状が略Ｌ字状なるベース１を有し、このベース１には端面が略Ｄ字状のシェル２が図の手前側に突出するように配設されている。
このベース１は樹脂で形成され、シェル２は金属で形成されている。
シェル２の内側には複数の雌側端子２ａが配列され、この雌側端子２ａは絶縁部２ｂにより周囲のシェル２に対して絶縁されている。
【００１３】
ベース１におけるシェル２の両側方には、鰐口状の突出部３が一対設けられている。この突出部３は、このコネクタ５０に装着されるプラグＰ（後述）側の固定ネジ２０（後述）を固定するネジ固定部３であり、この詳細は後述する。
ベース１の底面には、複数の雌側端子２ａとそれぞれ電気的に接続された複数の端子ピン４が図１の下方に延出している。この端子ピン４は、このコネクタ５０が電子機器に搭載された際、電子機器側の配線基板のパターンなどに電気的に接続される。
ベース１におけるシェル２の上方には、そのシェル２の長手幅にほぼ対応する間隔で突出する一対の腕部５が形成されている。
各腕部５の先端側には、ベース１の長手方向外側に向けて突出する円筒状のピン５ａが形成されている。
【００１４】
ネジ固定部３は、ベース１の長手方向に沿って切り込まれたスリット３ａにより２つの突出部３ｂ，３ｃに分割されている。
具体的には、図１において下側となる受側突出部３ｂと上側となる押圧突出部３ｃとの２つである。
【００１５】
受側突出部３ｂのスリット３ａ側には、断面が円弧状の溝形状でベース１の短手方向に沿って延在するネジ受部３ｂ１が形成されており、このネジ受部３ｂ１の表面には、このコネクタ５０に装着されるプラグＰの固定ネジ２０のネジ山形状に対応した凹凸形状の係合部３ｂ２が形成されている。
【００１６】
押圧突出部３ｃのスリット３ａ側には、受側突出部３ｂのネジ受部３ｂ１と対向するように、断面が円弧状の溝形状でベース１の短手方向に沿って延在するネジ受部３ｃ１が形成されており、このネジ受部３ｃ１の表面には、固定ネジ２０のネジ山形状に対応した凹凸形状の係合部３ｃ２が形成されている。
【００１７】
また、押圧突出部３ｃのスリット３ａとは反対側の面における先端側には、面取り部３ｃ３が形成されている。また、同じく根本側には、肉厚を薄くする切り込み部３ｃ４が形成されている。
従って、押圧突出部３ｃは、樹脂材料で形成されると共に、切り込み部３ｃ４が形成されていることにより、スリット３ｃ側（受側突出部３ｂ側）に容易に撓ませることができる。
一方、受側突出部３ｂは、根本側の肉厚を充分太くしてあり、容易に撓まないように形成されている。
【００１８】
次に、蓋部５０Ｂについて説明する。
この蓋部５０Ｂは、樹脂により形成されており、平板状のカバー部５１と、このカバー部５１の長手となる側部の両端部から延出する一対の押圧腕部５２とを有してなる。
【００１９】
一対の押圧腕部５２の互いに対向する対向面５２ａには、本体部５０Ａにおけるベース１の腕部５に設けられたピン５ａと係合する穴５２ｂが設けられており、腕部５を内側に撓ませることで穴５２ｂにピン５ａが嵌められ、両者は一体となっている（図１は、嵌める前の状態を斜視的に示している）。
この状態において、押圧腕部５２における対向面５２ａの間隔は、腕部５における両外側面５ｂの間隔より僅かに大きく設定されているので、蓋部５Ｂは、本体部５０Ａに対してピン５ａを軸として回動可能となっている。このピン５ａの中心軸を各図においてＣＬとしてある。
【００２０】
押圧腕部５２の先端側の端面５２ｃは凸となる所定の曲面に形成され、また、その曲面の回動中心ＣＬからの距離も所定の距離に設定されている。
具体的には、蓋部５Ｂの回動位置が所定の角度範囲にあるときに、端面５２ｃがベース１の押圧突出部３ｃに当接し、さらにこれを押圧するように設定されている。
【００２１】
一方、カバー部５１の短手方向長さＬは、蓋部５０Ｂを回動させたときにシェル２を完全に覆うことができる長さに設定されている。
また、カバー部５１の外側面には、図１に示すように、このコネクタ５０が電子機器に搭載された際に適用される端子名称ＮＭ（例えばＭＯＮＩＴ．ＩＮ）などを大きく刻印表示することができる。これは刻印に限らず、シール等の貼付により表示してもよい。
【００２２】
本体部５０Ａに蓋部５０Ｂを回動可能に取り付けた状態のコネクタ５０の側面図を図２（Ａ）に示す。
これはコネクタ５０にプラグＰが装着されていない状態であり、蓋部５０Ｂは、自重により図における反時計回り方向に回動してカバー部５１を覆っている。
【００２３】
また、カバー部５１の端子名称ＮＭが容易に視認できるので、複数のコネクタ５０が配設されている場合にプラグＰを装着すべきコネクタを容易に特定することができ、誤接続が防止される。
【００２４】
次に、このコネクタ５０に対するプラグＰの接続について詳述する。
図２（Ｂ）に示すように、プラグＰは、ケーブルＣＢＬの端部に設けられ、本体部Ｐ１と、この本体部Ｐ１から突出しコネクタ５０のシェル２に係合するプラグシェルＰ２とにより成る。
また、プラグシェルＰ２の両側方には、雄ネジである固定ネジ２０（以下、単に雄ネジ２０とも称する）が一対設けられており、ベース１における突出部３のネジ受部３ｂ１，３ｃ１は、この雄ネジ２０が係合するようにその配設位置が設定されている。
【００２５】
プラグＰをコネクタ５０に装着する際には、まず、図２（Ａ）の状態から蓋部５０Ｂを時計回り方向Ｄ１に回動させて図２（Ｂ）の状態にする。
この回動の途中で、押圧腕部５２の端面５２ｃが押圧突出部３ｃに当接してこれを図の下方向に一旦撓ませるが、回動をさらに進めると当接が解除され、両者が離間した図２（Ｂ）の状態に至る。
【００２６】
この状態で、プラグＰのプラグシェルＰ２をコネクタ５０のシェル２に押し込む。
この押し込みに従ってプラグＰの本体部Ｐ１がコネクタ５０の本体部５０Ａに徐々に接近し、固定ネジ２０がネジ固定部３のネジ受部３ｂ１，３ｃ１間に挿入される。
この際に、固定ネジ２０を、そのネジ部２０ａのコネクタ５０側への突出量が最大となるように押し込んでおくのが望ましい。
【００２７】
プラグＰをコネクタ５０に充分挿入したら、この蓋部５０Ｂを図における反時計回り方向Ｄ２に回動させる。
すると、図２（Ｃ）に示すように、押圧腕部５２の端面５２ｃが押圧突出部３ｃの面取り部３ｃ３に当接してこれを押圧し、この押圧突出部３ｃを図の下方向Ｄ３に撓ませる。
これにより、固定ネジ２０におけるネジ部２０ａのネジ山にネジ受部３ｂ１，３ｃ１の係合部３ｂ２，３ｃ２が係合して固定ネジ２０はネジ固定部３に保持される。すなわち、プラグＰがコネクタ５０から抜けないように固定される。
【００２８】
プラグＰを抜去する際は、まず蓋部５０Ｂを図２（Ｃ）の時計回り方向Ｄ１に回動させる。
すると、押圧腕部５２の端面５２ｃの面取り部３ｃ３との当接が解除され、固定ネジ２０がネジ固定部３から離脱可能となり、プラグＰを外すことができる。
【００２９】
以上、詳述したコネクタ５０によれば、プラグＰの固定ネジを螺合によらず、蓋部５０Ｂの回動操作だけで保持しプラグＰを固定できるので、プラグＰのコネクタ５０への装着時の固定作業が極めて容易に行える。
【００３０】
また、固定ネジ２０の保持が、金属材料ではなく樹脂材料の部材（ネジ固定部３）で行えるので、コネクタ５０をより軽量にすることができる。
【００３１】
また、コネクタ５０にプラグＰが装着されていない状態で、シェル２と雌側端子２ａとがカバー部５１により覆われるので防塵効果が得られ、雌側端子２ａの内部に埃などが進入して接続不良となることを防止することができる。
【００３２】
また、繰り返しになるが、カバー部５１の外側面５１ａに端子名称ＮＭを大きく表示できるので、プラグＰを装着すべきコネクタ５０を容易に特定でき、誤接続が防止される。
【００３３】
本発明の実施例は、上述した構成に限定されるものではなく、本発明の要旨を逸脱しない範囲において変形例としてもよい。
【００３４】
コネクタ５０は、Ｄ−ｓｕｂコネクタに適用できるものであるが、もちろん、他種のコネクタにも適用できるのは言うまでもない。
蓋部５０Ｂは、防塵機能が必要ない場合、そのカバー部５１形状はシェル２を完全に覆うものでなくてもよい。
【図面の簡単な説明】
【００３５】
【図１】本発明のコネクタの実施例を説明する斜視図である。
【図２】本発明のコネクタの実施例におけるプラグ固定動作を説明する側面図である。
【符号の説明】
【００３６】
１  ベース
２  シェル
２ａ  雌側端子
２ｂ  絶縁部
３  突出部（ネジ固定部）
３ａ  スリット
３ｂ  受側突出部
３ｂ１  ネジ受部
３ｂ２  係合部
３ｃ  押圧突出部
３ｃ１  ネジ受部
３ｃ２  係合部
３ｃ３  面取り部
４  端子ピン
５  腕部
５ａ  ピン
５ｂ  側面
２０  固定ネジ（雄ネジ）
２０ａ  ネジ部
５０  コネクタ
５０Ａ  本体部
５０Ｂ  蓋部
５１  カバー部
５１ａ  外側面
５２  押圧腕部
５２ａ  対向面
５２ｂ  穴
５２ｃ  端面
ＣＬ  回動軸
ＮＭ  端子名称
Ｐ  プラグ
Ｐ１  本体部
Ｐ２  プラグシェル
【図１】
2007200800.tif 000003
【図２】
2007200800.tif 000004